(57)【要約】【課題】例えば自動車、オートバイ、船舶をはじめとする移動体に組み込まれ、フラットディスプレイを通じて計測情報を表示する表示装置に関し、表示に奥行き感を与え、商品性を向上させることか可能な表示装置を提供する。【解決手段】所定情報として第１の計測情報２３，２４を発光表示する第１のフラットディスプレイ２と、所定情報として第２の計測情報３３を発光表示する第２のフラットディスプレイ３とを、観察者から見たとき互いに遠近差を有するように間隔（空間）Ｓを空けて配置し、これにより、観察者からは第１の計測情報２３，２４と第２の計測情報３３とが間隔Ｓによる遠近差を有して視認される。【選択図】図２
2008158174.tif 000002
【特許請求の範囲】
【請求項１】
所定情報を発光表示する複数のフラットディスプレイを備えた表示装置であって、
前記フラットディスプレイが観察者に対して遠近差を有するように所定の間隔を空けて配置される少なくとも第１のフラットディスプレイと第２のフラットディスプレイとからなることを特徴とする表示装置。
【請求項２】
前記各フラットディスプレイの動作を制御する制御手段とを備え、
前記制御手段は所定の入力信号に応じて前記第１，第２のフラットディスプレイを時間差を有して発光動作させることを特徴とする請求項１記載の表示装置。
【請求項３】
前記各フラットディスプレイの動作を制御する制御手段とを備え、
前記制御手段は前記第１，第２のフラットディスプレイを異なる輝度で発光動作させることを特徴とする請求項１記載の表示装置。
【請求項４】
前記第１，第２のフラットディスプレイは各表示エリアが前記観察者に対して重ならないように設けられることを特徴とする請求項１記載の表示装置。
【発明の詳細な説明】
【技術分野】
【０００１】
本発明は、例えば自動車、オートバイ、船舶をはじめとする移動体に組み込まれ、フラットディスプレイを通じて計測情報を表示する表示装置に関する。
【背景技術】
【０００２】
この種の表示装置として、例えば下記特許文献１に記載されているものが知られている。この表示装置は、観察者に対して遠近差を有して積層配置される第１のフラットディスプレイと第２のフラットディスプレイを有し、観察者に対して近い側に配置される第１のフラットディスプレイとして大型の液晶表示パネルを採用し、観察者に対して遠い側に配置される第２のフラットディスプレイとして第１のフラットディスプレイよりも小型の液晶表示パネルを採用し、第１のフラットディスプレイを通して第２のフラットディスプレイが透視できるように構成されている。
【０００３】
また、これらフラットディスプレイは蛍光管からなる共通の光源より照明され、所定情報を発光表示できるように構成されている。
【特許文献１】特開２００３−７５８０７号公報
【発明の開示】
【発明が解決しようとする課題】
【０００４】
しかしながら、前記公報記載の表示装置は、各フラットディスプレイパネルが観察者に対して前後に重ねて配置されるだけであるため、奥行き感がなく、商品性に乏しいという問題があった。
【０００５】
本発明は、この点に鑑みてなされたもので、その主な目的は、表示に奥行き感を付与して商品性を向上させることか可能な表示装置を提供するものである。
【課題を解決するための手段】
【０００６】
本発明は、前記目的を達成するため、所定情報を発光表示する複数のフラットディスプレイを備えた表示装置であって、前記フラットディスプレイが観察者に対して遠近差を有するように所定の間隔を空けて配置される少なくとも第１のフラットディスプレイと第２のフラットディスプレイとからなることを特徴とする。
【０００７】
本発明は、前記各フラットディスプレイの動作を制御する制御手段とを備え、前記制御手段は所定の入力信号に応じて前記第１，第２のフラットディスプレイを時間差を有して発光動作させることを特徴とする。
【０００８】
本発明は、前記各フラットディスプレイの動作を制御する制御手段とを備え、前記制御手段は前記第１，第２のフラットディスプレイを異なる輝度で発光動作させることを特徴とする。
【０００９】
本発明は、前記第１，第２のフラットディスプレイは各表示エリアが前記観察者に対して重ならないように設けられることを特徴とする。
【発明の効果】
【００１０】
本発明によれば、初期の目的を達成でき、表示に奥行き感を付与して商品性を向上させることか可能な表示装置を提供することができる。
【発明を実施するための最良の形態】
【００１１】
図１から図３は、本発明の一実施形態を示すもので、図１は本発明による表示装置の正面図、図２は図１のＡ−Ａ断面図、図３は表示装置のシステム構成を示すブロック図である。
【００１２】
図１及び図２において、表示装置は、例えば自動車に搭載され、異なる種類の計測情報を表示するコンビネーションメータからなるもので、ケース体１と、第１のフラットディスプレイ２と、第３のフラットディスプレイ３と、制御手段（コントロールユニット）４とを備えている。
【００１３】
ケース体１は、例えば乳白色の合成樹脂材からなり、第１，第２のフラットディスプレイ２，３と制御手段４を結合するものである。
【００１４】
第１のフラットディスプレイ２は、第１のディスプレイパネル２１と、この第１のディスプレイパネル２１を背後から照明する第１の光源２２とからなり、観察者に対して近い側となるケース体１箇所に配置されている。
【００１５】
第１のディスプレイパネル２１は、例えば一対のガラス基板間にＴＮ型の液晶分子を封入した周知のＴＮ型液晶パネルからなり、表示装置それ自体の正面外形形状に略対応したパネルサイズを有している。この第１のディスプレイパネル２１は、前記ガラス基板の対向面に遮光性を有する例えば黒色のマスク層が施されており、このマスク層を部分的に除いた領域で各種の計測値（第１の所定情報）を表示する第１の計測値表示部２３，２４が設けられている。
【００１６】
またこの第１のディスプレイパネル２１には、その観察者側を向く面及びその反対側の面に図示しないフィルム状の偏光板が貼着され、このうち、観察者側とは反対側を向く面に貼着された偏光板には、第２のディスプレイパネル３に対応した開口部が形成されている。
【００１７】
なお図１中、「０〜６」なる数字、「ｒｐｍ」，「Ｅ」，「Ｆ」なる文字は、前記マスク印刷を除くことにより形成した光透過性の固定表示部であり、この固定表示部は、計測値表示部２３，２４とは異なり、形状（意匠）変化を伴わずバックライト照明される。
【００１８】
計測値表示部２３，２４のうち、計測値表示部２３は、略「Ｃ」字形に組み合われたセグメント（バーグラフ）表示部からなり、電気信号に応じて前記セグメントの透過・不透過状態を切り替えることにより、車両のエンジン回転数を表示でき、また前記セグメントが透過状態にあるときは、第１の光源２２を通じて後述する照明色にてバックライト照明される。
【００１９】
また計測値表示部２４も略「Ｃ」字形に組み合われたセグメント（バーグラフ）表示部からなり、電気信号に応じて前記セグメントの透過・不透過状態を切り替えることにより、車両の燃料残量を表示でき、また前記セグメントが透過状態にあるときは、第１の光源２２を通じて後述する照明色にてバックライト照明される。
【００２０】
第１の光源２２は、例えば白色の発光ダイオードからなり、第１のディスプレイパネル２１との間に配置された図示しない着色フィルターを通じて計測値表示部２３，２４と前記固定表示部とを例えば青緑色に照明する。
【００２１】
第２のフラットディスプレイ３は、第２のディスプレイパネル３１と、この第２のディスプレイパネル３１を背後から照明する第２の光源３２とからなり、第１のフラットディスプレイ２よりも観察者から遠い側となるケース体１箇所に配置されている。
【００２２】
第２のディスプレイパネル３１は、例えば第１のディスプレイパネル２１と同様のＴＮ型の液晶パネルからなるが、第１のディスプレイパネル２１に比べてパネルサイズが小さく形成されている。この第２のディスプレイパネル３１は、ガラス基板の対向面に遮光性を有する例えば黒色のマスク層が施されており、このマスク層を部分的に除いた領域で車速（第２の所定情報）からなる第２の計測値表示部３３と、「ｋｍ／ｈ」なる固定表示部が設けられている。なお第２のディスプレイパネル３１には、その観察者側を向く面及びその反対側の面に図示しないフィルム状の偏光板が貼着されている。
【００２３】
またこの第２のディスプレイパネル３１は、第１のディスプレイパネル２１に対して間隔（空間）Ｓを隔てて配置され、これにより第２のディスプレイパネル３１は、観察者から見たとき第１のディスプレイパネル２１よりも奥まった位置に配置される。なお本例では間隔Ｓは例えば２０ｍｍに設定されている。
【００２４】
なお第２のディスプレイパネル３１の第２の計測値表示部３３及び前記固定表示部を包含する領域に対応する第１のディスプレイパネル２１領域には、前記マスク層が除かれて光透過性の窓部２５が形成され、この窓部２５を通じて第２の計測値表示部３３及び前記固定表示部が視認できるようになっており、これにより第１，第２のディスプレイパネル２１，３１は、それらの計測値表示部２３，２４，３３が互いに重ならないように重合配置される。
【００２５】
第２の計測値表示部３３は、直線状及び「日」の字状のセグメントを組み合わせてなるデジタル表示部からなり、前記のように車速をデジタル表示する。
【００２６】
第２の光源３２は、例えば白色の発光ダイオードからなり、第２のディスプレイパネル３１との間に配置された図示しない着色フィルターを通じて第２の計測値表示部３３と前記固定表示部とを例えば第１の計測値表示部２３，２４と同じ青緑色に照明する。
【００２７】
制御手段４は、図３に示すようにマイクロコンピュータ４１と、第１の駆動ドライバ４２と、第２の駆動ドライバ４３とからなる。
【００２８】
マイクロコンピュータ４１の入力側には、車両に搭載された始動スイッチ（イグニッションスイッチ）からの切替信号を入力する第１の入力端子４４と、車両に搭載されたエンジン回転数センサからの検出信号を入力する第２の入力端子４５と、車両に搭載された燃料センサからの検出信号を入力する第３の入力端子４６と、車両に搭載された車速センサからの検出信号を入力する第４の入力端子４７が設けられており、マイクロコンピュータ４１は、これら入力端子４５〜４７を通じて入力する各検出信号を演算処理し、その処理結果であるエンジン回転数、燃料残量、車速を第1，第２の駆動ドライバ４２，４３を通じて第１，第２のディスプレイパネル２１，２２を動作させ第１，第２の計測値表示部２３，２４，３３に表示させる。またマイクロコンピュータ４１は、第１，第２の光源２１，３２を点消灯動作させることで第１，第２のディスプレイパネル２１，２２の照明をオンオフ制御する。
【００２９】
ここでマイクロコンピュータ４１は、第１の入力端子４４からの切替信号に基づいて、始動スイッチがオンされたと判断すると、まず第１，第２のディスプレイパネル２１，３１を表示動作させた直後に第２の光源３２を点灯動作させ、この第２の光源３２の点灯動作から所定時間経過した後、第１の光源２２を点灯動作させる処理を実行する。
【００３０】
これにより、観察者は、まず最初に最も奥まった位置に配置される第２のディスプレイパネル３１に第２の計測情報３３が発光表示され、次に第２のディスプレイパネル３１よりも手前に位置する第１のディスプレイパネル３１の第１の計測情報２３，２４が発光表示される。
【００３１】
また第１のディスプレイパネル２１に表示される第１の計測情報２３，２４の発光輝度は、第２のディスプレイパネル３１に表示される第２の計測情報の３３の発光輝度に対して明るく設定されている。
【００３２】
以上のように本実施形態では、所定情報として第１の計測情報２３，２４を発光表示する第１のフラットディスプレイ２と、所定情報として第２の計測情報３３を発光表示する第２のフラットディスプレイ３とを、観察者から見たとき互いに遠近差を有するように間隔（空間）Ｓを空けて配置したことにより、観察者からは第１の計測情報２３，２４と第２の計測情報３３とが間隔Ｓによる遠近差を有して視認されるため、表示に奥行き感を与えることができ、商品性を向上させることができる。
【００３３】
また本実施形態では、制御手段４が所定の入力信号として第１の入力端子４４からの切替信号に応じて第１，第２のフラットディスプレイ２，３を所定の時間差を有して発光動作させることにより、新規で斬新な見せ方を表現でき、これにより更に商品性を向上させることができる。
【００３４】
なお第１，第２のフラットディスプレイ２，３を所定の時間差を有して発光動作させるにあたり、その順番や時間差をどの程度に設定するかは任意である。
【００３５】
またフラットディスプレイ２，３は所定情報を発光表示するものであって、観察者から遠近差を有するように間隔Ｓを空けて配置さえるものであれば任意であり、各種ＥＬディスプレイ（有機、無機を問わない）や蛍光表示管を用いてもよい。
【００３６】
さらにフラットディスプレイ２，３は三枚以上、間隔を空けて設け、更にこれら三枚を時間差を有する適宜パターンにて発光させてもよい。
【００３７】
また本実施形態では、第１，第２のフラットディスプレイ２，３が、それらの各表示エリア（第１の計測値表示部２３，２４と第２の計測値表示部３３）が観察者に対して重ならないように設けられることにより、発光表示される情報（計測値表示部２３，２４，３３）が判読しやすくなり、奥行き感も明確に表示することができる。
【００３８】
また本実施形態では、制御手段４が第１，第２のフラットディスプレイ２，３を異なる輝度で発光動作させることにより、立体感を強調的に表現でき、これによっても商品性を向上させることができる。
【００３９】
なお第１，第２のフラットディスプレイ２，３を異なる輝度で発光動作させるにあたり、第１のディスプレイパネル２１の発光輝度を第２のディスプレイパネル３１の発光輝度に対して暗く設定してもよい。
【図面の簡単な説明】
【００４０】
【図１】本発明の第１の実施形態による表示装置の正面図。
【図２】図１のＡ−Ａ断面図。
【図３】同実施形態における表示装置のシステム構成を示すブロック図。
【符号の説明】
【００４１】
１  ケース体
２  第１のフラットディスプレイ
３  第３のフラットディスプレイ
４  制御手段
２１  第１のディスプレイパネル
２２  第１の光源
２３，２４  第１の計測値表示部
３１  第２のディスプレイパネル
３２  第２の光源
４１  マイクロコンピュータ
４２  第１の駆動ドライバ
４３  第２の駆動ドライバ
４４  第１の入力端子
４５  第２の入力端子
４６  第３の入力端子
４７  第４の入力端子
【図１】
2008158174.tif 000003
【図２】
2008158174.tif 000004
【図３】
2008158174.tif 000005